(57)【要約】【課題】  メンテナンスキーの代替として、画像出力装置に応じたユニークな識別情報を保持する記録メディアを用いて、メンテナンス機能を呼び出すことを可能とする画像出力装置等を提供する。【解決手段】  管理者がメンテナンスキー２１２をなくした場合、管理者は、当該画像出力装置１０１のメンテナンスキー２１２の代替のメンテナンス手段呼び出し情報０２を書き込んだ記録メディア（メンテナンス用）１２３Ｍをメディア挿入口に挿入し、画像出力装置１０１の制御部３０１は、挿入した記録メディア１２３Ｍから読み込んだデータがメンテナンス手段呼び出し情報６０２である場合、利用者を受け付ける運転モードから、管理モードに切り替え、メンテナンス画面を表示し、メンテナンス処理を行う。【選択図】  図１
2006159533.tif 000002
【特許請求の範囲】
【請求項１】
画像データを入力する画像入力手段と、
前記画像データを印刷する印刷出力手段と、
を備える画像出力装置であって、
前記画像出力装置の運用設定、メンテナンスを行うメンテナンス手段と、
記録媒体から読み込んだデータが前記メンテナンス手段の呼び出し情報である場合、前記メンテナンス手段を呼び出すメンテナンス呼出手段と、
を、具備することを特徴とする画像出力装置。
【請求項２】
前記メンテナンス手段の呼び出し情報は、前記画像出力装置毎のキーデータとなるユニークな識別情報であることを特徴とする請求項１記載の画像出力装置。
【請求項３】
前記メンテナンス手段の呼び出し情報を保持する記録媒体は、複写不可を設定することを特徴とする請求項１記載の画像出力装置。
【請求項４】
前記画像入力手段は、記録媒体から前記画像データを読み取る記録媒体読取手段を有することを特徴とする請求項１記載の画像出力装置。
【請求項５】
コンピュータを請求項１から請求項４までのいずれかに記載の画像出力装置として機能させるプログラム。
【請求項６】
コンピュータを請求項１から請求項４までのいずれかに記載の画像出力装置として機能させるプログラムを記録した記録媒体。
【発明の詳細な説明】
【技術分野】
【０００１】
本発明は、デジタルカメラで撮影した画像、スキャナで読込んだ画像、持参した記録メディアに記録されている画像データ、装置に予め保存してある画像等を合成編集してプリントできる画像プリントシステム等に関する。
【背景技術】
【０００２】
デジタルカメラ等で撮影した画像は、従来のように写真店にフィルムを持ち込んで印刷してもらうのでなく、パソコンやプリンタなどを用いて自宅でプリントすることが可能である。また、既にプリントされた写真もスキャナー等で読み取り、焼き増し、引き延ばしなどを行うことができる。
【０００３】
ところが、撮影した画像をより美しく、様々な工夫を凝らして加工したいという要求が存在する一方で、デジタルカメラ、パソコン、プリンタ、スキャナー等の電子機器は進歩が速く、次々に性能の高い新製品が売り出されるため、個人が常に、最高級のプリント作成を行うことは難しく、また撮影された画像と合成するフレーム画像等の副画像も、個人では利用可能なものには限界が有る。
【０００４】
そこで、カメラ店等の店舗に設置された、比較的小さなスペースに設置することが可能な画像出力装置である、デジタルフォトプリント装置により、画像が記録された記録メディアや、既にプリントされた写真を持ちこんで、フレーム画像等を合成したりしてプリントする方法がある（デジタルフォトプリントシステム、例えば、［特許文献１］、［非特許文献１］参照）。
【０００５】
また、このような画像プリントシステムでは、メンテナンスキーにより、利用者を受け付けることのできる通常の運転モードから、管理モードに切り替えて、管理者が画像プリントシステムの運用設定やメンテナンスを行う。
【０００６】
【特許文献１】特開２００２−４６３２４号公報（第１８頁段落番号［０１４５］、図５〜図１０）
【非特許文献１】大日本印刷株式会社、“デジカメプリントのすすめ”、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【発明の開示】
【発明が解決しようとする課題】
【０００７】
しかしながら、従来の画像プリントシステムでは、管理者がメンテナンスキーをなくすと、メンテナンスキーを作り直す必要があり、メンテナンスキーを作成している間は、画像プリントシステムの運用設定やメンテナンスを行うことが出来ないという問題があった。
【０００８】
本発明は、以上の問題点に鑑みてなされたものであり、メンテナンスキーの代替として、画像出力装置に応じたユニークな識別情報を保持する記録メディアを用いて、メンテナンス機能を呼び出すことを可能とする画像出力装置等を提供することを目的とする。
【課題を解決するための手段】
【０００９】
前述した目的を達成するために第１の発明は、画像データを入力する画像入力手段と、前記画像データを印刷する印刷出力手段と、を備える画像出力装置であって、前記画像出力装置の運用設定、メンテナンスを行うメンテナンス手段と、記録媒体から読み込んだデータが前記メンテナンス手段の呼び出し情報である場合、前記メンテナンス手段を呼び出すメンテナンス呼出手段と、を、具備することを特徴とする画像出力装置である。
また、前記画像入力手段は、記録媒体から前記画像データを読み取る記録媒体読取手段を有することが望ましい。
【００１０】
第１の発明では、画像データを入力し、画像データを印刷する画像出力装置は、記録媒体から読み込んだデータがメンテナンス手段の呼び出し情報である場合、前記画像出力装置の運用設定、メンテナンスを行うメンテナンス手段を呼び出す。
【００１１】
「メンテナンス手段の呼び出し情報」は、画像出力装置毎のキーデータとなるユニークな識別情報であり、例えば、画像出力装置の識別情報である。
【００１２】
第２の発明は、コンピュータを第１の発明の画像出力装置として機能させるプログラムである。
第３の発明は、コンピュータを第１の発明の画像出力装置として機能させるプログラムを記録した記録媒体である。
【００１３】
上述のプログラムをＣＤ−ＲＯＭ等の記録媒体に保持させて流通させてもよいし、このプログラムを通信回線を介して送受することもできる。
【発明の効果】
【００１４】
本発明は、プリンタが複数搭載の場合でも、より実時間に近い精度の高いプリント予測時間やプリント残り時間を計算し表示することを可能とする画像出力装置等を提供することができる。
【発明を実施するための最良の形態】
【００１５】
以下、添付図面を参照しながら、本発明に係る画像プリントシステム等の好適な実施形態について詳細に説明する。なお、以下の説明及び添付図面において、略同一の機能構成を有する構成要素については、同一の符号を付することにより重複説明を省略することにする。
【００１６】
最初に、図１を参照しながら、本発明の実施の形態に係る画像プリントシステム１００の構成について説明する。
図１は、画像プリントシステム１００の構成を示すブロック図である。
【００１７】
図１は、画像プリントシステムの１例であり、図１に示すように、画像プリントシステム１００は、画像出力装置１０１等により実現される。
画像出力装置１０１は、画像データ読込書込手段１１１、画像編集合成手段１１２、素材データベース（素材ＤＢ）１１３、プリント手段１１４、注文内容入力手段１１５、課金手段１１６、メンテナンス手段１１７等を備える。
【００１８】
画像データ読込書込手段１１１は、被写体１２１をデジタルカメラ等の撮像装置により撮像したり、原稿１２２をスキャナ装置等の原稿読取装置により読み取ったり、予め画像データが記録された記録メディア１２３から読み取ることにより、画像データを取得し、画像データの種類に応じて、サムネイル表示する。また、画像データ読込書込手段１１１は、画像出力装置１０１が作成した画像データを記録メディア１２３に記録することもできる。
記録メディア１２３は、例えば、スマートメディア、コンパクトフラッシュ（登録商標）カード（ＣＦカード）、ＳＤカード、ミニＳＤカード、メモリースティック、フロッピー（登録商標）ディスク、ＰＣカード、ＣＤ−ＲＯＭ等である。
【００１９】
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インターフェース手段と画像処理プログラムで構成される。加工や合成編集に扱う画像データとしては、素材データベース１１３に存在する素材画像データ、フレーム画像データ等を用いることもできる。
【００２０】
プリント手段１１４は、高解像度カラープリンタである。昇華型あるいはインクジェット型などの方式は問わない。プリント物１２４は、プリント出力された撮像による証明写真、デジタルカメラ画像等による写真、シールプリント、はがき等である。
【００２１】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合には、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定などがある。尚、利用者は、画像を出力する前に、１つ以上の画像データを指定して加工および合成編集することができる。
【００２２】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
メンテナンス手段１１７は、メンテナンスキー、又は記録メディア（メンテナンス用）１２３Ｍにより、利用者を受け付ける運転モードから管理モードに切り替えて、入出力部３０３にバージョンアップ用のＣＤ−ＲＯＭを挿入し、データの書き換えを行ったり、設定データを入力して設定、メンテナンスを行う。
【００２３】
次に、図２を参照しながら、画像出力装置１０１の外観構成について説明する。
図２は、画像出力装置１０１の外観斜視図である。
【００２４】
画像出力装置１０１の上段部正面には、タッチパネル付きモニタ等であるモニタ画面２０１が配置されている。モニタ画面２０１は、操作の案内や、操作の状況や、印刷状況や、読み取った画像或いは編集加工した画像等を表示する表示手段としての機能を発揮する。
【００２５】
モニタ画面２０１の画面の下には、メディア挿入口２０２が設置される。上段部と下段部を分けている水平部には、プリント物の画像を読み取ってデジタルデータ化するスキャナ面２０３が設置される。また、モニタ画面２０１の画面の上には、デジタルカメラ等の撮像装置により被写体を撮像するためのレンズ窓２０４が設置される。これらのメディア挿入口２０２、スキャナ面２０３、レンズ窓２０４は、画像データ読込書込手段１１１の一部を構成する。
【００２６】
メディア挿入口２０２は、各種メディア（スマートメディア、コンパクトフラッシュ（登録商標）カード（ＣＦカード）、ＳＤカード、ミニＳＤカード、フロッピー（登録商標）ディスク、ＰＣカード、ＣＤ−ＲＯＭ等）の挿入口であり、フロッピー（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。
【００２７】
また、画像出力装置１０１の筐体内には上記各記録メディアの挿入口に対応して、それぞれの読取書込装置の本体が設置されている。各挿入口には、手数料の徴収が完了するまで記録メディアを取り出せないように、シャッタ（図示しない）を備えても良い。
【００２８】
画像出力装置１０１の下段部には、料金投入口（硬貨投入口２０５、紙幣挿入口２０６）、返却レバー２０７、返却口２０８、レシート取出口２０９、プリント物取出口２１０、スピーカ２１１、メンテナンスキー２１２、ドア開閉キー２１３等がそれぞれ配置されている。
【００２９】
料金投入口（硬貨投入口２０５、紙幣挿入口２０６）、返却レバー２０７、返却口２０８、レシート取出口２０９は、課金手段１１６の一部を構成する。
顧客は、硬貨投入口２０５に硬貨を投入したり、紙幣挿入口２０６に紙幣を挿入することにより料金を支払う。釣銭がある場合には返却口２０８から放出されるので、それを受け取れる。また、注文を取りやめる場合や硬貨が詰まった時には硬貨返却レバー２０７を回すことにより返却口２０８から放出されるので、それを受け取れる。
料金を徴収した後、レシート取出口２０９から徴収した金額や注文内容が印刷されたレシートが放出される。
【００３０】
プリント物取出口２１０は、プリント手段１１４の一部を構成する。利用者は、タッチパネルボタンに触れるなどしてプリント実行を指示した後、プリント物取出口２１０から放出されるプリント物１２４を受け取る。
スピーカ２１１は、待機中や操作中に音声、ＢＧＭ、効果音などを再生する。
【００３１】
メンテナンスキー２１２は、利用者を受け付けることのできる通常の運転モードと、管理者が画像プリントシステムの設定やメンテナンスを行う管理モードを切り替えるキーである。
【００３２】
また、外観からは明確に認識できないが、ポスト型画像出力装置１０１の筐体内には、ポスト型画像出力装置１０１の各構成部分を制御するための制御部を含むパソコンや、電圧の変換を行う電源ボックス、停電時に制御部のＣＰＵやハードディスク等の破損を防ぐ無停電電源装置等が設置される。
【００３３】
次に、図３を参照しながら、画像出力装置１０１の概略構成について説明する。
図３は、画像出力装置１０１のハードウェア構成図である。
【００３４】
画像出力装置１０１は、制御部３０１、ハードディスク３０２、入出力部３０３（ＣＤ−ＲＯＭドライブ装置、キーボード、マウス等）、デジタルカメラ３０５、スキャナ３０６、各種メディア読取書込部３０７（１〜ｎ）、シャッタ３０８（１〜ｎ）、モニタ３０９（タッチパネル付き）、コインメック３１０、ビルバリ３１１、レシートジャーナル処理部３１２、プリンタ３１３等が、バス３１６を介して接続される。
【００３５】
制御部３０１は、ＣＰＵ、ＲＯＭ、ＲＡＭ等で構成され、大容量記憶媒体としてのハードディスク３０２に格納されたプログラムに従って、バス３１６を介して接続された各装置を駆動制御する。
【００３６】
ハードディスク３０２には、各構成部分を駆動制御するプログラム、例えば各記録メディア１２３に対応する読取書込プログラム、シャッタの開閉制御プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０９に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３等が格納されている。
【００３７】
これらの各プログラムコードは、制御部３０１により必要に応じて読み出されてＲＡＭに移され、ＣＰＵに読み出されて各種の手段として実行される。
【００３８】
入出力部３０３（ＣＤ−ＲＯＭドライブ装置、キーボード、マウス等）は、制御部３０１のＲＯＭやハードディスク３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００３９】
デジタルカメラ３０５、スキャナ３０６、各種メディア読取書込部３０７（１〜ｎ）は、画像データ読込書込手段１１１に相当する。
シャッタ３０８は、記録メディア挿入口に設けられ、当該記録メディア挿入口を開閉し、読取処理の最中に記録メディアを取り出せないようにしたり、課金処理が完了するまで記録メディアを取り出せないようにすることができる。
【００４０】
モニタ３０９に表示された操作案内に従って、同モニタ３０９に表示されたタッチパネルボタンを選択し触れることにより、プリントモードの選択およびオリジナル画像データの読み込みから、加工、合成編集、プリント物１２４の出力までの一連の操作を行うことができる。
【００４１】
コインメック３１０、ビルバリ３１１、レシートジャーナル処理部３１２は、課金手段１１６に相当し、硬貨投入、紙幣挿入を受け付けたり、レシートの発行を行う。
１又は複数のプリンタ３１３は、プリント手段１１４に相当し、画像の印刷出力処理を行う。
【００４２】
次に、図４を参照しながら、画像出力装置１０１の動作について説明する。
図４は、画像出力装置１０１の動作を示すフローチャートである。
【００４３】
画像出力装置１０１の制御部３０１は、サービスの内容、手順、案内等を示すメニュ画面を、モニタ３０９のモニタ画面２０１に表示し、利用者に機能選択させる。（ステップ４０１）。
【００４４】
制御部３０１は、各種メディア３０７、スキャナ３０６、デジタルカメラ３０５等のいずれかを介して、画像データを取得する（ステップ４０２）。利用者は、画像データの入力に際し、記録メディア１２３からの読み取り、スキャナからの読み取り、撮像装置（デジタルカメラ等）による被写体の撮像等の方法を選択する。
尚、制御部３０１は、記録メディア１２３からの読み取り処理において、記録メディア１２３からメンテナンス手段呼び出し情報を読み取ると、メンテナンス手段１１７に相当するメンテナンス処理を呼び出す。
【００４５】
制御部３０１（画像処理プログラム）は、利用者の指示に基づいて、画像の加工、編集、合成等を行う（ステップ４０３）。画像の加工、編集、合成は、例えば、入力画像データ同士、フレーム画像、既存画像等の合成、塗色、文字入力、移動、拡大・縮小、はがきデータ作成等である。
【００４６】
制御部３０１は、利用者の注文内容（出力形態（写真プリント、シールプリント、インデックスプリント、はがきプリント等）、プリント枚数等）に応じて、課金処理、レシート発行処理を行う（ステップ４０４）。
【００４７】
制御部３０１（画像処理プログラム）は、色修正、リサイズ、トリミング、レイアウト、文字・ロゴ合成等の画像処理を行い（ステップ４０５）、画像処理した画像データをハードディスク３０２に保持し（ステップ４０６）、出力可能状態となったプリンタ装置に当該画像データを転送し、印刷処理プロセスを起動する（ステップ４０７）。
制御部３０１は、印刷処理中、随時、プリント残り時間算出表示処理を行う（ステップ４０８）。
【００４８】
画像プリントシステム１００の稼働を続ける場合（ステップ４０９のＮｏ）、制御部３０１は、ステップ４０１〜ステップ４０８までの処理を繰り返す。
【００４９】
次に、ステップ４０２の記録メディア１２３からの読み取り処理における、記録メディア（メンテナンス用）１２３Ｍを用いたメンテナンス手段１１７呼び出し処理の処理手順について説明する。図５は、記録メディア１２３からの読み取り処理における、記録メディア（メンテナンス用）１２３Ｍを用いたメンテナンス手段１１７呼び出し処理の処理手順を示すフローチャートである。
【００５０】
図５に示すように、利用者は、画像データを記録した記録メディア１２３をメディア挿入口に挿入する（ステップ５０１）。
【００５１】
また、管理者は、メンテナンスキー２１２を無くした場合、当該画像出力装置１０１の購入元から配布された、当該画像出力装置１０１のメンテナンスキー２１２の代替の記録メディア（メンテナンス用）１２３Ｍをメディア挿入口に挿入する（ステップ５０２）。
【００５２】
次に、記録メディア（メンテナンス用）１２３Ｍのデータ形式を説明する。図６は、記録メディア（メンテナンス用）１２３Ｍのデータ形式を示す。
図６に示すように、記録メディア１２３Ｍは、所定のファイル名（例えば“メンテンナス××××”）を有するメンテナンスキーデータファイル６０１からなり、メンテナンスキーデータファイル６０１には、メンテナンス手段呼び出し情報６０２を格納する。メンテナンス手段呼び出し情報６０２は、例えば、当該画像出力装置１０１の識別情報である。
記録メディア（メンテナンス用）１２３Ｍは、当該画像出力装置１０１の購入元で、メンテナンスキーデータファイル６０１にメンテナンス手段呼び出し情報６０２を書き込み後、複写不可を設定する。
【００５３】
尚、本実施の形態では、メンテナンス手段呼び出し情報６０２は、当該画像出力装置１０１の識別情報を用いたが、画像出力装置１０１毎に、ユニークな識別情報であれば、そのデータ内容に言及はしない。
また、記録メディア（メンテナンス用）１２３Ｍのデータ形式は、本実施の形態に示す形式に限定するものではない。一定のフォーマットを定めたものであればよい。
【００５４】
制御部３０１は、挿入した記録メディア１２３が記録メディア（メンテナンス用）１２３Ｍである場合（ステップ５０３のＹｅｓ）、すなわち、メンテナンスキーデータファイル６０１が存在する場合、制御部３０１は、当該ファイルのデータを読み込み、メンテナンス手段呼び出し情報６０２であるか否か、判定する（ステップ５０４）。
例えば、記録メディア１２３Ｍ内に所定のファイル名（“メンテンナス××××”）のメンテナンスキーデータファイル６０１が存在する場合は、当該ファイルのデータを読み込み、読み込んだデータが、メンテナンス手段呼び出し情報６０２である当該画像出力装置１０１の識別情報であるか否か、例えばハードディスク３０２上にシステム情報として保持されている当該画像出力装置１０１の識別情報と比較する。
【００５５】
読み込んだデータが、メンテナンス手段呼び出し情報６０２である場合（ステップ５０５のＹｅｓ）、すなわち、当該画像出力装置１０１の識別情報である場合、制御部３０１は、利用者を受け付ける運転モードから、管理モードに切り替え、メンテナンス手段１１７に相当するメンテナンス処理に移行する（ステップ５０６）。メンテナンス処理において、制御部３０１は、入出力部３０３にバージョンアップ用のＣＤ−ＲＯＭを挿入し、プログラムデータの書き換えを行ったり、設定データの入力及び設定／メンテナンス等を行うメンテナンス手段１１７のメニュ画面であるメンテナンス画面（図示せず）を表示し、選択された機能に応じた運用設定／メンテナンス処理を行う。
【００５６】
挿入した記録メディア１２３が記録メディア（メンテナンス用）１２３Ｍでない場合（ステップ５０３のＮｏ）、又は、読み込んだデータが、メンテナンス手段１１７呼び出し情報６０２でない場合（ステップ５０５のＮｏ）、制御部３０１は、通常の画像データを読み込む（ステップ５０７）。
【００５７】
制御部３０１は、読み込んだ画像データから、モニタ画面２０１に、サムネイル画像６０１を一覧表示する（ステップ５０８）。
利用者は、一覧表示されたサムネイル画像７０２のなかからプリントしたい画像を選択し、プリント枚数を指定し、主画像として利用する画像を選択し、プリント指示を行う（ステップ５０９）。
【００５８】
以上説明したように、本発明の実施の形態によれば、管理者がメンテナンスキー２１２を無くした場合、メンテナンスキー２１２の代替として、当該画像出力装置１０１の購入元から配布された、当該画像出力装置１０１のメンテナンスキー２１２の代替のメンテナンス手段呼び出し情報６０２を書き込んだ記録メディア（メンテナンス用）１２３Ｍをメディア挿入口に挿入し、画像出力装置１０１の制御部３０１は、挿入した記録メディア１２３から読み込んだデータを判定し、メンテナンス手段呼び出し情報６０２である場合、利用者を受け付ける運転モードから、管理モードに切り替え、メンテナンス手段１１７のメニュ画面であるメンテナンス画面を表示し、選択した機能に応じた運用設定／メンテナンス処理を行う。
【００５９】
これにより、管理者がメンテナンスキーを無くした直後でも、記録メディア（メンテナンス用）により、画像プリントシステムの運用設定やメンテナンスを行うことが可能となり、運用設定変更や故障等に対して、より早く、本画像プリントシステムの運用設定変更や、利用者を受け付ける運転モードの再開等を可能とし、本画像プリントシステムの信頼感も向上する。
【００６０】
以上、添付図面を参照しながら、本発明にかかる画像プリントシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００６１】
【図１】画像プリントシステム１００の構成を示すブロック図
【図２】画像出力装置１０１の外観斜視図
【図３】画像出力装置１０１のハードウェア構成図
【図４】画像出力装置１０１の動作を示すフローチャート
【図５】記録メディア１２３からの読み取り処理における、記録メディア（メンテナンス用）１２３Ｍを用いたメンテナンス手段１１７呼び出し処理の処理手順を示すフローチャート
【図６】記録メディア（メンテナンス用）１２３Ｍのデータ形式を示す図
【符号の説明】
【００６２】
１００………画像プリントシステム
１０１………画像出力装置
１１１………画像データ読込書込手段
１１２………画像編集合成手段
１１３………素材データベース
１１４………プリント手段
１１５………注文内容入力手段
１１６………課金手段
１１７………メンテナンス手段１１７
１２３………記録メディア
１２３Ｍ………記録メディア（メンテナンス用）
３０１………制御部
６０１………メンテナンスキーデータファイル
６０２………メンテナンス手段呼び出し情報
【図１】
2006159533.tif 000003
【図２】
2006159533.tif 000004
【図３】
2006159533.tif 000005
【図４】
2006159533.tif 000006
【図５】
2006159533.tif 000007
【図６】
2006159533.tif 000008